(57)【要約】  破壊行為検出装置は、窓ガラスの温度を測定する温度測定部と、窓ガラスの振動量を測定する振動測定部と、制御部とを備える。制御部は、温度測定部が測定した温度から求められた単位時間当たりの温度変化量が、予め定められた温度変化閾値Ｔｒを超えない場合には（Ｓ１０３：ＮＯ）、振動測定部が測定した振動量が予め定められた第１の振動閾値Ｆｒ１を超えたか否かによりガラス破りを検出する（Ｓ１０４，Ｓ１０５）。また、制御部は、温度測定部が測定した温度から求められた単位時間当たりの温度変化量が予め定められた温度変化閾値Ｔｒを超えた場合には（Ｓ１０３：ＹＥＳ）、振動測定部が測定した振動量が、第１の振動閾値Ｆｒ１よりも小さい、予め定められた第２の振動閾値Ｆｒ２を超えたか否かによりガラス破りを検出する（Ｓ１０６，Ｓ１０７）。
2014014101.tif 000002
【特許請求の範囲】
【請求項１】
構造物のガラス部における単位時間当たりの温度変化量を測定する温度変化量測定手段と、
前記ガラス部に生じた振動の振動量を測定する振動量測定手段と、
前記温度変化量測定手段により測定された温度変化量によって、予め定められた複数の振動閾値の中から１つの振動閾値を選択し、前記振動量測定手段により測定された振動量が前記選択された振動閾値を超えた場合に、前記ガラス部に対して破壊行為がなされたと判別する判別手段と、を備える、
ことを特徴とする破壊行為検出装置。
【請求項２】
前記判別手段は、前記温度変化量測定手段により測定された温度変化量が予め定められた温度変化閾値を超えない場合には、予め定められた第１の振動閾値を選択し、前記振動量測定手段により測定された振動量が前記第１の振動閾値を超えた場合に前記ガラス部に対して破壊行為がなされたと判別し、
前記温度変化量測定手段により測定された温度変化量が前記温度変化閾値を超えた場合には、前記第１の振動閾値よりも小さい、予め定められた第２の振動閾値を選択し、前記振動量測定手段により測定された振動量が前記第２の振動閾値を超えた場合に前記ガラス部に対して破壊行為がなされたと判別する、
ことを特徴とする請求項１に記載の破壊行為検出装置。
【請求項３】
前記判別手段は、前記測定された温度変化量が前記温度変化閾値を超えてから、所定時間が経過するまでの期間内に、前記測定された振動量が前記第２の振動閾値を超えた場合に前記ガラス部に対して破壊行為がなされたと判別する、
ことを特徴とする請求項２に記載の破壊行為検出装置。
【請求項４】
前記判別手段は、前記温度変化量測定手段により測定された前記温度変化量が前記温度変化閾値よりも小さい、予め定められた第２の温度変化閾値以下の場合には、前記第１の振動閾値よりも大きい、予め定められた第３の振動閾値を選択し、前記測定された振動量が前記第３の振動閾値を超えた場合に前記ガラス部に対して破壊行為がなされたと判別する、
ことを特徴とする請求項２又は３に記載の破壊行為検出装置。
【請求項５】
前記温度変化量測定手段が赤外線センサである、
ことを特徴とする請求項４に記載の破壊行為検出装置。
【請求項６】
前記ガラス部は、前記構造物の開閉部であり、
前記開閉部の開閉状態を検出する開閉検出手段を備え、
前記判別手段は、前記測定された振動量が前記選択された振動閾値を超え、かつ、前記開閉検出手段により開状態が検出された場合に、前記ガラス部に対して破壊行為がなされたと判別する、
ことを特徴とする請求項１乃至５の何れか１項に記載の破壊行為検出装置。
【請求項７】
前記開閉検出手段は、前記測定された振動量が前記予め定められた振動閾値を超えてから予め定められた所定時間が経過するまでの期間の前記開閉部の開閉状態を検出する、
ことを特徴とする請求項６に記載の破壊行為検出装置。
【請求項８】
前記温度変化量測定手段が温度変化量を測定する周期と前記振動量測定手段が振動量を測定する周期とが、異なる、
ことを特徴とする請求項１乃至７の何れか１項に記載の破壊行為検出装置。
【請求項９】
前記ガラス部は、前記構造物の開閉部であり、
前記温度変化量測定手段は、前記開閉部に設けられた錠部から半径３０ｃｍ以内の前記温度変化量を測定する、
ことを特徴とする請求項１乃至８の何れか１項に記載の破壊行為検出装置。
【請求項１０】
前記判別部が、前記ガラス部に対して破壊行為がなされたと判別した場合に、前記ガラス部に対して破壊行為がなされたことを報知する警報手段を備える、
ことを特徴とする請求項１乃至９の何れか１項に記載の破壊行為検出装置。
【請求項１１】
前記判別部が、前記ガラス部に対して破壊行為がなされたと判別した場合に、前記ガラス部に対して破壊行為がなされたことを通知する通信手段を備える、
ことを特徴とする請求項１乃至１０の何れか１項に記載の破壊行為検出装置。
【請求項１２】
構造物のガラス部における単位時間当たりの温度変化量を測定する温度変化量測定ステップと、
前記ガラス部に生じた振動の振動量を測定する振動量測定ステップと、
前記温度変化量測定ステップにより測定された温度変化量によって、予め定められた複数の振動閾値の中から１つの振動閾値を選択し、前記振動量測定ステップにより測定された振動量が前記選択された振動閾値を超えた場合に、前記ガラス部に対して破壊行為がなされたと判別する判別ステップと、を含む、
ことを特徴とする破壊行為検出方法。
【請求項１３】
前記判別ステップでは、前記温度変化量測定ステップで測定された温度変化量が予め定められた温度変化閾値を超えない場合には、予め定められた第１の振動閾値を選択し、前記振動量測定ステップで測定された振動量が前記第１の振動閾値を超えた場合に前記ガラス部に対して破壊行為がなされたと判別し、前記温度変化量測定ステップで測定された温度変化量が前記温度変化閾値を超えた場合には、前記第１の振動閾値よりも小さい、予め定められた第２の振動閾値を選択し、前記振動量測定ステップで測定された振動量が前記第２の振動閾値を超えた場合に前記ガラス部に対して破壊行為がなされたと判別する、
ことを特徴とする請求項１２に記載の破壊行為検出方法。
【発明の詳細な説明】
【技術分野】
【０００１】
本発明は、破壊行為検出装置及び破壊行為検出方法に関する。
【背景技術】
【０００２】
特許文献１には、窓ガラスを破壊する行為（ガラス破り）を検出する装置が開示されている。この装置は、ガラス板の振動を電圧信号に変換し、電圧信号から抽出した所定の周波数成分における値を閾値と比較することにより、ガラス破りを検出する。
【先行技術文献】
【特許文献】
【０００３】
【特許文献１】特開２００５−７８５００号公報
【発明の概要】
【発明が解決しようとする課題】
【０００４】
窓ガラスや窓枠に外部から加えられる衝撃は、ガラス破りの方法によって異なる。ガラス破りの方法には、こじ破り、打ち破り、焼き破りがある。こじ破り、打ち破りは、ドライバやハンマなどによって錠部近傍の窓ガラス部分に強い衝撃を加える。一方、焼き破りは、ライタやバーナなどによって錠部近傍の窓ガラス部分を焼き、又は、その焼いた部分に水をかけることによってヒビを入れる。その後、窓ガラス部分に比較的弱い衝撃を加える。【０００５】
特許文献１に記載の装置では、こじ破り、打ち破りを検出するために、閾値を大きく設定すると、焼き破りが検出できない。一方、焼き破りを検出するために、閾値を小さい値に設定すると、雨や風などによって窓ガラスに与えられる振動（環境振動）がガラス破りと検出される。【０００６】
本発明は、このような問題に鑑みてなされたものであり、破壊行為を正確に検出できる破壊行為検出装置及び破壊行為検出方法を提供することを目的とする。
【課題を解決するための手段】
【０００７】
本発明の第１の観点に係る破壊行為検出装置は、
構造物のガラス部における単位時間当たりの温度変化量を測定する温度変化量測定手段と、
前記ガラス部に生じた振動の振動量を測定する振動量測定手段と、
前記温度変化量測定手段により測定された温度変化量によって、予め定められた複数の振動閾値の中から１つの振動閾値を選択し、前記振動量測定手段により測定された振動量が前記選択された振動閾値を超えた場合に、前記ガラス部に対して破壊行為がなされたと判別する判別手段と、を備える、
ことを特徴とする。【０００８】
本発明の第２の観点に係る破壊行為検出方法は、
構造物のガラス部における単位時間当たりの温度変化量を測定する温度変化量測定ステップと、
前記ガラス部に生じた振動の振動量を測定する振動量測定ステップと、
前記温度変化量測定ステップにより測定された温度変化量によって、予め定められた複数の振動閾値の中から１つの振動閾値を選択し、前記振動量測定ステップにより測定された振動量が前記選択された振動閾値を超えた場合に、前記ガラス部に対して破壊行為がなされたと判別する判別ステップと、を含む、
ことを特徴とする。
【発明の効果】
【０００９】
本発明によれば、破壊行為を正確に検出できる。
【図面の簡単な説明】
【００１０】
【図１】本発明の実施の形態１に係る破壊行為検出装置の窓への取り付けを示す図である。
【図２】図１に示す破壊行為検出装置の構成を示すブロック図である。
【図３】本発明の実施の形態１に係る破壊行為検出装置における破壊行為検出処理のフローチャートである。
【図４】本発明の実施の形態２に係る破壊行為検出装置の窓への取り付けを示す図である。
【図５】図４に示す破壊行為検出装置の構成を示すブロック図である。
【図６】本発明の実施の形態２に係る破壊行為検出装置における破壊行為検出処理のフローチャートである。
【発明を実施するための形態】
【００１１】
（実施の形態１）
本発明の実施の形態１について図１乃至図３を参照して説明する。
【００１２】
図１に示すように、本実施の形態に係る破壊行為検出装置１０は、一対の窓ガラスＷ１、Ｗ２から構成された引き違い窓に取り付けられる。具体的には、破壊行為検出装置１０は、錠部Ｌ（ここではクレセント錠）近傍の窓ガラスＷ１（屋内側の窓ガラス）の縦かまちに取り付けられる。破壊行為検出装置１０は、こじ破り、打ち破り、焼き破りによるガラス破りを検出する。
【００１３】
図２を参照して、破壊行為検出装置１０の構成を説明する。破壊行為検出装置１０は、制御部１１と、記憶部１２と、温度測定部１３と、振動測定部１４と、警報部１５とを備える。
【００１４】
制御部１１は、破壊行為検出装置１０全体を制御する。制御部１１は、ＣＰＵ（Ｃｅｎｔｒａｌ  Ｐｒｏｃｅｓｓｉｎｇ  Ｕｎｉｔ）、ＣＰＵのメインメモリとして機能するＲＡＭ（Ｒａｎｄｏｍ  Ａｃｃｅｓｓ  Ｍｅｍｏｒｙ）、タイマなどから構成される。制御部１１の一部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの専用回路から構成されてもよい。
【００１５】
記憶部１２は、ＲＯＭ（Ｒｅａｄ  Ｏｎｌｙ  Ｍｅｍｏｒｙ）、フラッシュメモリなどから構成される。記憶部１２は、制御部１１が処理を行うために使用するプログラム及びデータ、制御部１１が各種処理を行うことにより生成したデータなどを記憶する。
【００１６】
温度測定部１３は、制御部１１によって制御される。本実施の形態においては、温度測定部１３は窓ガラス周辺の温度を０〜１００℃の範囲で測定する。また、温度測定部１３は、測定した温度を表す温度データを制御部１１に供給する。温度測定部１３は、温度を測定する温度センサ（例えば、熱電素子）と、温度センサで測定された温度を表す電気信号を増幅する増幅回路と、Ａ／Ｄ変換器とから構成される。Ａ／Ｄ変換器は、増幅回路で増幅された電気信号をデジタル信号に変換する。さらに、Ａ／Ｄ変換器は、デジタル信号を温度データとして制御部１１に供給する。温度センサは、図１に示すように、錠部Ｌ近傍の窓ガラスＷ１（屋内側の窓ガラス）に貼り付けられる。温度センサは、ケーブル配線によって電気的に破壊行為検出装置１０本体と接続される。焼き破りの多くは、錠部Ｌ近傍の窓ガラスで行われるので、温度センサは、例えば錠部Ｌから３０ｃｍ以内に取り付けられるのが望ましい。
【００１７】
振動測定部１４は、制御部１１によって制御される。振動測定部１４は、窓ガラスの振動量を測定する。また、振動測定部１４は、測定した振動量を表す振動データを制御部１１に供給する。振動測定部１４は、窓ガラスの振動量を直接的に測定しても、窓枠などの振動を測定することによって間接的に窓ガラスの振動量を測定してもよい。
振動測定部１４は、窓ガラスにおけるガラス板面の加速度や速度、変位を測定するセンサなどを有する。すなわち、ガラスの振動量は、ガラス板面の加速度、速度、変位量などのガラスの振動の強さを表す量を意味する。
【００１８】
本実施の形態では、振動測定部１４は、加速度を測定する加速度センサ（圧電素子）と、増幅回路と、フィルタと、Ａ／Ｄ変換器と、を有する。増幅回路は、加速度センサで測定された加速度を表す電気信号を増幅する。フィルタは、特定周波数領域の信号を通過させて環境振動や環境騒音などの周波数成分などを除去する。Ａ／Ｄ変換器は、増幅回路で増幅された電気信号をデジタル信号に変換する。さらに、Ａ／Ｄ変換器は、デジタル信号を振動量データとして、制御部１１に供給する。加速度センサは、図１に示すように、錠部Ｌ近傍の窓ガラスＷ１の縦かまちに貼り付けられる。加速度センサは、ケーブル配線によって電気的に破壊行為検出装置１０本体と接続される。ガラス破りの多くは、錠部Ｌ近傍に穴が開けられるので、加速度センサは、例えば錠部Ｌから３０ｃｍ以内に取り付けられるのが望ましい。
【００１９】
フィルタは、アナログフィルタ又はデジタルフィルタから構成される。アナログフィルタは、加速度センサによって測定された加速度を表す電気信号の特定周波数領域の電気信号を通過させる。また、デジタルフィルタは、Ａ／Ｄ変換器から出力されるデジタル信号の特定周波数領域のデジタル信号を通過させる。なお、フィルタは、アナログフィルタとデジタルフィルタとから構成されてもよい。
【００２０】
警報部１５は、制御部１１によって制御される。警報部１５は、ガラス破りを行った侵入者を威嚇、退避させる。また、警報部１５は、周囲に報知するための音や光などを出力する。警報部１５は、ブザーなどの警報音を鳴動する鳴動装置、ストロボ発光する発光装置などから構成される。警報部１５は、外部のセキュリティシステムや住居者の携帯電話などに、ガラス破りが検出されたことを通知する通信装置を備えてもよい。
【００２１】
破壊行為検出装置１０における破壊行為検出処理を、図３を参照して説明する。
【００２２】
制御部１１は、ユーザーによって、破壊行為検出装置１０の電源をオンにする操作がされた場合に、記憶部１２に記録されたプログラムを読み出し、そのプログラムを実行する。破壊行為検出装置１０は、窓ガラスの破壊行為が検出されるか電源をオフされるまで、以下の各種処理を所定時間（例えば数ｍ秒）ごとに繰り返す。
【００２３】
破壊行為検出処理が実行されると、制御部１１は、温度測定部１３によって測定された温度を表す温度データを温度測定部１３から取得する。また、制御部１１は、振動測定部１４によって測定された振動量を表す振動データを振動測定部１４から取得する（ステップＳ１０１）。制御部１１による温度データと振動データとの取得は異なる期間ごとに実行されても良い。
【００２４】
制御部１１は、温度測定部１３から取得した温度データから、単位時間当たりの温度変化量を求める（ステップ１０２）。本実施の形態においては、温度変化量は、所定時間ごとに測定された温度の差を、１秒当たりに換算した値である。制御部１１は、求められた温度変化量が、予め定められた温度変化閾値Ｔｒを超えたか否かを判別する（ステップＳ１０３）。温度変化閾値Ｔｒは、侵入者が窓ガラスＷ１を加熱したか否か（焼き破りのおそれがあるか否か）を判別するための閾値である。温度変化閾値Ｔｒは、気候の変化により生じる温度変化量よりも大きい温度変化量に設定される。温度変化閾値Ｔｒは、実験などから設定される。
【００２５】
例えば、温度変化閾値Ｔｒが３℃／ｓに設定されており、ステップＳ１０２で求められた温度変化量が、温度変化閾値Ｔｒを超えないと判別された場合（ステップＳ１０３；ＮＯ）、制御部１１は、振動閾値として、予め定められた第１の振動閾値Ｆｒ１を選択する。そして、制御部１１は、振動測定部１４から取得した振動データが表す振動量が、第１の振動閾値Ｆｒ１を超えたか否か判別する（ステップＳ１０４）。具体的には、制御部１１は、窓ガラス面の加速度の特定周波数領域の振幅が第１の振動閾値Ｆｒ１を超えたか否か判別する。本実施の形態では、フィルタによって、特定周波数成分の信号が選別されるので、制御部１１は、取得した振動データが表す振動の振幅が第１の振動閾値Ｆｒ１を超えたか否かを判別する。なお、制御部１１は、振動測定部１４から取得した振動データに対して、ＦＦＴ（Ｆａｓｔ  Ｆｏｕｒｉｅｒ  Ｔｒａｎｓｆｏｒｍ）処理を行うことによって特定周波数領域の振動データを求めてもよい。そして、制御部１１は、求められた特定周波数領域の振動データから、窓ガラス面の加速度の特定周波数領域の振幅が第１の振動閾値Ｆｒ１を超えたか否か判別してもよい。第１の振動閾値Ｆｒ１は、こじ破り、打ち破りを検出するための閾値ある。第１の振動閾値Ｆｒ１は、通常の状態（窓ガラスを焼かない状態）で、ドライバやハンマなどの金属工具によって窓ガラスが割られた場合における振幅値よりも小さい振幅値に設定される。第１の振動閾値Ｆｒ１は、実験などから設定される。
【００２６】
例えば、第１の振動閾値Ｆｒ１が８０ｍ／ｓ２に設定されており、ステップＳ１０１で取得した振動データが表す振動量が、第１の振動閾値Ｆｒ１を超えないと判別された場合、（ステップＳ１０４；ＮＯ）、破壊行為検出処理は、ステップＳ１０１に戻る。
【００２７】
一方、制御部１１は、振動量が第１の振動閾値Ｆｒ１を超えたと判別した場合には（ステップＳ１０４；ＹＥＳ）、こじ破り、打ち破り（破壊行為）を検出する（ステップＳ１０５）。さらに、制御部１１は、警報部１５による警報を実行して破壊行為検出処理を終了する（ＳＴＯＰ）。
【００２８】
制御部１１は、ステップＳ１０３において、ステップＳ１０２において求められた温度変化量が、予め定められた温度変化閾値Ｔｒ（ここでは３℃／ｓ）を超えた場合（ステップＳ１０３；ＹＥＳ）、振動閾値として、第１の振動閾値よりも小さい、予め定められた第２の振動閾値Ｆｒ２を選択する。そして、制御部１１は、振動測定部１４から取得した振動データが表す振動量が、第２の振動閾値Ｆｒ２を超えたか否か判別する（ステップＳ１０６）。つまり、温度変化閾値Ｔｒを超えた場合、焼き破りのおそれがあるため、振動閾値として、焼き破りを検出するための第２の振動閾値Ｆｒ２が選択される。第２の振動閾値Ｆｒ２は、急激な温度変化が生じた窓ガラスが割られる場合の衝撃による振動量よりも小さい振動量に設定される。第２の振動閾値Ｆｒ２は、実験などから設定される。第２の振動閾値Ｆｒ２は、第１の振動閾値Ｆｒ１よりも小さい値に設定される（Ｆｒ１＞Ｆｒ２）。
【００２９】
例えば、第２の振動閾値Ｆｒ２が３ｍ／ｓ２に設定されており、ステップＳ１０１で取得した振動データが表す振動量が、第２の振動閾値Ｆｒ２を超えないと判別された場合（ステップＳ１０６；ＮＯ）、破壊行為検出処理はステップＳ１０１に戻る。なお、第２の振動閾値Ｆｒ２は、温度変化量が温度変化閾値Ｔｒを超えた場合（温度が急激に上昇又は下降した場合）に必要最小限の期間（例えば数秒）、振動閾値に設定される。これにより、環境振動に起因した誤検出を防ぐことができる。
【００３０】
一方、制御部１１は、振動量が第２の振動閾値Ｆｒ２を超えたと判別した場合（ステップＳ１０６；ＹＥＳ）、焼き破り（破壊行為）を検出する（ステップＳ１０７）。さらに、制御部１１は、警報部１５による警報を実行して破壊行為検出処理を終了する（ＳＴＯＰ）。
【００３１】
以上のように、本実施の形態に係る破壊行為検出装置１０は、測定された温度から求められた温度変化量によって、振動閾値を第１の振動閾値Ｆｒ１と第２の振動閾値Ｆｒ２のいずれかに選択する。振動測定部１４によって測定された振動量と選択された振動閾値（第１の振動閾値Ｆｒ１又は第２の振動閾値Ｆｒ２）から、ガラス破りを判別するので、ガラス破り（破壊行為）を正確に検出できる。
【００３２】
なお、温度変化量によって選択される振動閾値は、第１の振動閾値Ｆｒ１と第２の振動閾値Ｆｒ２の２つに限られない。
すなわち、制御部１１は、測定された温度から求められた温度変化量によって、予め定められた複数（例えば、３つ以上）の振動閾値の中から１つの振動閾値を選択する。制御部１１は、測定された振動量が、予め定められた複数の振動閾値の中から選択された振動閾値を超えたか否か判別することによって、ガラス破りを判別する。
【００３３】
（実施の形態２）
以下、本発明の実施の形態２について図４乃至図６を参照して説明する。なお、実施の形態１で説明した構成又は処理と同じ構成又は処理には同じ符号を付し、重複した説明は省略する。
【００３４】
本実施の形態における破壊行為検出装置１０は、図４、図５に示すように、窓ガラスの開閉状態を検出する開閉検出部１６を備える。開閉検出部１６は、窓縦枠に貼り付けられたマグネット１６ａと、窓ガラスＷ２に貼り付けられ、マグネット１６ａの磁気を検出するリードスイッチ１６ｂとから構成される。窓ガラスＷ２が閉じた状態では、マグネット１６ａとリードスイッチ１６ｂとが近接した位置で対向する。この場合、リードスイッチ１６ｂは、マグネット１６ａの磁気を検出するので、リードスイッチ１６ｂはオン状態となる。また、窓ガラスＷ２が開いた状態では、マグネット１６ａは、リードスイッチ１６ｂから遠い。この場合、リードスイッチ１６ｂは、マグネット１６ａの磁気を検出しないので、リードスイッチ１６ｂはオフ状態となる。リードスイッチ１６ｂは、オン状態又はオフ状態を表す信号を制御部１１に供給する。開閉検出部１６は、窓ガラスの開閉状態を検出できるものであればよい。開閉検出部１６は、マグネット１６ａとリードスイッチ１６ｂとから構成されたものに限定されず、公知の検出機構であってもよい。
【００３５】
本実施の形態における破壊行為検出装置１０の破壊処理検出処理を、図６を参照して説明する。
【００３６】
本実施の形態における破壊行為検出処理では、制御部１１は、振動測定部１４から取得した振動量データが表す特定周波数領域の振動量が第１の振動閾値Ｆｒ１を超えた場合（ステップＳ１０４；ＹＥＳ）、開閉検出部１６（リードスイッチ１６ｂ）からオン状態又はオフ状態を表す信号（Ｈｉ信号、Ｌｏｗ信号）を、所定期間（例えば数十秒）取得する。
【００３７】
制御部１１は、開閉検出部１６からの信号がオン状態を維持した場合には、窓ガラスＷ２は閉状態であると判別する（ステップＳ２０１；ＮＯ）。破壊行為検出処理はステップＳ１０１に戻る。
【００３８】
一方、制御部１１は、開閉検出部１６からの信号にオフ状態の信号が含まれた場合、窓ガラスＷ２が開状態であると判別する（ステップＳ２０１；ＹＥＳ）。この場合、制御部１１は、こじ破り、打ち破りを検出する（ステップＳ１０５）。制御部１１は、警報部１５による警報を実行して破壊行為検出処理を終了する（ＳＴＯＰ）。
【００３９】
制御部１１は、振動測定部１４から取得した振動量データが表す特定周波数領域の振動量が第２の振動閾値Ｆｒ２を超えた場合（ステップＳ１０６；ＹＥＳ）、開閉検出部１６（リードスイッチ１６ｂ）からオン状態又はオフ状態を表す信号（Ｈｉ信号、Ｌｏｗ信号）を、所定期間（例えば数十秒）取得する。
【００４０】
制御部１１は、開閉検出部１６からの信号がオン状態を維持した場合、窓ガラスＷ２は閉状態であると判別する（ステップＳ２０２；ＮＯ）。破壊行為検出処理はステップＳ１０１に戻る。
【００４１】
一方、制御部１１は、開閉検出部１６からの信号にオフ状態の信号が含まれた場合、窓ガラスＷ２が開状態であると判別する（ステップＳ２０２；ＹＥＳ）。この場合、制御部１１は、焼き破りを検出する（ステップＳ１０５）。制御部１１は、警報部１５による警報を実行して破壊行為検出処理を終了する（ＳＴＯＰ）。
【００４２】
以上のように、本実施の形態における破壊行為検出装置１０は、窓ガラスＷ２の開閉状態も判別してガラス破りを検出するので、本実施の形態における破壊行為検出装置１０は、より正確にガラス破りを検出できる。
【００４３】
以上、本発明の実施の形態について説明したが、本発明は上記実施の形態に何ら限定されるものではなく、本発明の要旨を逸脱しない範囲内において、様々な変更が可能である。
【００４４】
例えば、実施の形態１、２では、温度測定部１３は、熱電素子から構成されるが、温度測定部１３は赤外線センサから構成されてもよい。赤外線センサは、例えば、対象物の温度変化量を測定する。赤外線センサは、焦電型の赤外線センサが好ましい。赤外線センサなどから構成された温度測定部１３は、非接触で広域に窓ガラスの温度変化量を測定できる。
【００４５】
また、赤外線センサなどから構成された温度測定部１３は、窓ガラスの温度変化量を測定するとともに、窓ガラスに人が近づいたことを温度変化量から検出できる。例えば、赤外線センサが測定した温度変化量が十分に小さい場合（温度変化量が上記の温度変化閾値Ｔｒよりも小さい第２の温度変化閾値Ｔｒ２未満の場合）、人が窓ガラスに近づいていないので、ガラスが破壊される可能性は小さい。したがって、赤外線センサから取得した温度変化量が十分に小さい場合、制御部１１は、振動閾値として、第１の振動閾値Ｆｒ１よりも大きい第３の振動閾値Ｆｒ３を選択してもよい。制御部１１は、振動測定部１４から取得した振動データが表す振動量と第３の振動閾値Ｆｒ３から、こじ破り、打ち破りがなされたか否か判別する。換言すれば、赤外線センサから取得した温度変化量が第２の温度変化閾値Ｔｒ２を超えた場合、制御部１１は、振動閾値として、窓ガラスに人が近づいていない場合の第３の振動閾値Ｆｒ３よりも小さい第１の振動閾値Ｆｒ１を選択してもよい。制御部１１は、振動測定部１４から取得した振動データが表す振動量と第１の振動閾値Ｆｒ１から、窓ガラスの破壊行為の有無を検出する。これにより、破壊行為検出装置１０はガラス破りを更に正確に検出できる。第２の温度変化閾値Ｔｒ２は、赤外線センサにより人の接近を検出する閾値として、赤外線センサの規格などから設定される。
【００４６】
なお、温度測定部１３は、赤外線センサ以外の温度センサから構成されてもよい。すなわち、温度測定部１３は、窓ガラスの温度変化とともに、窓ガラスに人が近づいたことによる温度変化を測定できる温度センサから構成されてもよい。
【００４７】
また、第３の振動閾値Ｆｒ３は、第１の振動閾値Ｆｒ１よりも大きい値に設定すればよい。例えば、第３の振動閾値Ｆｒ３が、通常の状態（窓ガラスを焼かない状態）で、ドライバやハンマなどの金属工具によって窓ガラスが割られる場合の衝撃の振動量よりも小さい値に設定される。さらに、第１の振動閾値Ｆｒ１が、第３の振動閾値Ｆｒ３よりも小さい値に設定される。
【００４８】
また、上記の実施の形態の一部又は全部は、以下の付記のようにも記載されうるが、以下には限られない。
【００４９】
（付記１）
構造物のガラス部における単位時間当たりの温度変化量を測定する温度変化量測定手段と、
前記ガラス部に生じた振動の振動量を測定する振動量測定手段と、
前記温度変化量測定手段により測定された温度変化量によって、予め定められた複数の振動閾値の中から１つの振動閾値を選択し、前記振動量測定手段により測定された振動量が前記選択された振動閾値を超えた場合に、前記ガラス部に対して破壊行為がなされたと判別する判別手段と、を備える、
ことを特徴とする破壊行為検出装置。
【００５０】
（付記２）
前記判別手段は、前記温度変化量測定手段により測定された温度変化量が予め定められた温度変化閾値を超えない場合には、予め定められた第１の振動閾値を選択し、前記振動量測定手段により測定された振動量が前記第１の振動閾値を超えた場合に前記ガラス部に対して破壊行為がなされたと判別し、
前記温度変化量測定手段により測定された温度変化量が前記温度変化閾値を超えた場合には、前記第１の振動閾値よりも小さい、予め定められた第２の振動閾値を選択し、前記振動量測定手段により測定された振動量が前記第２の振動閾値を超えた場合に前記ガラス部に対して破壊行為がなされたと判別する、
ことを特徴とする付記１に記載の破壊行為検出装置。
【００５１】
（付記３）
前記判別手段は、前記測定された温度変化量が前記温度変化閾値を超えてから、所定時間が経過するまでの期間内に、前記測定された振動量が前記第２の振動閾値を超えた場合に前記ガラス部に対して破壊行為がなされたと判別する、
ことを特徴とする付記２に記載の破壊行為検出装置。
【００５２】
（付記４）
前記判別手段は、前記温度変化量測定手段により測定された前記温度変化量が前記温度変化閾値よりも小さい、予め定められた第２の温度変化閾値以下の場合には、前記第１の振動閾値よりも大きい、予め定められた第３の振動閾値を選択し、前記測定された振動量が前記第３の振動閾値を超えた場合に前記ガラス部に対して破壊行為がなされたと判別する、
ことを特徴とする付記２又は３に記載の破壊行為検出装置。
【００５３】
（付記５）
前記温度変化量測定手段が赤外線センサである、
ことを特徴とする付記４に記載の破壊行為検出装置。
【００５４】
（付記６）
前記ガラス部は、前記構造物の開閉部であり、
前記開閉部の開閉状態を検出する開閉検出手段を備え、
前記判別手段は、前記測定された振動量が前記選択された振動閾値を超え、かつ、前記開閉検出手段により開状態が検出された場合に、前記ガラス部に対して破壊行為がなされたと判別する、
ことを特徴とする付記１乃至５の何れか１つに記載の破壊行為検出装置。
【００５５】
（付記７）
前記開閉検出手段は、前記測定された振動量が前記予め定められた振動閾値を超えてから予め定められた所定時間が経過するまでの期間の前記開閉部の開閉状態を検出する、
ことを特徴とする付記６に記載の破壊行為検出装置。
【００５６】
（付記８）
前記温度変化量測定手段が温度変化量を測定する周期と前記振動量測定手段が振動量を測定する周期とが、異なる、
ことを特徴とする付記１乃至７の何れか１つに記載の破壊行為検出装置。
【００５７】
（付記９）
前記ガラス部は、前記構造物の開閉部であり、
前記温度変化量測定手段は、前記開閉部に設けられた錠部から半径３０ｃｍ以内の前記温度変化量を測定する、
ことを特徴とする付記１乃至８の何れか１つに記載の破壊行為検出装置。
【００５８】
（付記１０）
前記判別部が、前記ガラス部に対して破壊行為がなされたと判別した場合に、前記ガラス部に対して破壊行為がなされたことを報知する警報手段を備える、
ことを特徴とする付記１乃至９の何れか１つに記載の破壊行為検出装置。
【００５９】
（付記１１）
前記判別部が、前記ガラス部に対して破壊行為がなされたと判別した場合に、前記ガラス部に対して破壊行為がなされたことを通知する通信手段を備える、
ことを特徴とする付記１乃至１０の何れか１つに記載の破壊行為検出装置。
【００６０】
（付記１２）
構造物のガラス部における単位時間当たりの温度変化量を測定する温度変化量測定ステップと、
前記ガラス部に生じた振動の振動量を測定する振動量測定ステップと、
前記温度変化量測定ステップにより測定された温度変化量によって、予め定められた複数の振動閾値の中から１つの振動閾値を選択し、前記振動量測定ステップにより測定された振動量が前記選択された振動閾値を超えた場合に、前記ガラス部に対して破壊行為がなされたと判別する判別ステップと、を含む、
ことを特徴とする破壊行為検出方法。
【００６１】
（付記１３）
前記判別ステップでは、前記温度変化量測定ステップで測定された温度変化量が予め定められた温度変化閾値を超えない場合には、予め定められた第１の振動閾値を選択し、前記振動量測定ステップで測定された振動量が前記第１の振動閾値を超えた場合に前記ガラス部に対して破壊行為がなされたと判別し、前記温度変化量測定ステップで測定された温度変化量が前記温度変化閾値を超えた場合には、前記第１の振動閾値よりも小さい、予め定められた第２の振動閾値を選択し、前記振動量測定ステップで測定された振動量が前記第２の振動閾値を超えた場合に前記ガラス部に対して破壊行為がなされたと判別する、
ことを特徴とする付記１２に記載の破壊行為検出方法。
【００６２】
上述した実施の形態は、本発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、本発明の範囲内とみなされる。
【００６３】
本発明は、２０１２年７月１９日に出願された日本国特許出願２０１２−１６０９１４号に基づく。本明細書中に日本国特許出願２０１２−１６０９１４号の明細書、特許請求の範囲、図面全体を参照として取り込むものとする。
【符号の説明】
【００６４】
１０  破壊行為検出装置
１１  制御部
１２  記憶部
１３  温度測定部
１４  振動測定部
１５  警報部
１６  開閉検出部
１６ａ  マグネット
１６ｂ  リードスイッチ
Ｗ１，Ｗ２  窓ガラス
Ｌ  錠部
【図１】
2014014101.tif 000003
【図２】
2014014101.tif 000004
【図３】
2014014101.tif 000005
【図４】
2014014101.tif 000006
【図５】
2014014101.tif 000007
【図６】
2014014101.tif 000008
【国際調査報告】
2014014101.tif 000009
2014014101.tif 000010